【手続補正書】
【提出日】平成24年4月16日(2012.4.16)
【手続補正１】
【補正対象書類名】明細書
【補正対象項目名】０００６
【補正方法】変更
【補正の内容】
【０００６】
ＡＲＩＢ規格では、符号化ストリームの個々と対応付けられる放送プログラムのことをサービスと呼ぶ。放送プログラムすなわちサービスは、編成チャネルとも呼ばれ、放送事業者が編成する、スケジュール化された放送番組（イベント：ｅｖｅｎｔ）の連続をいう。特定のサービスの選局を行う際には、ＭＰＥＧ−２システムで規格化されているＰＳＩ（Ｐｒｏｇｒａｍ  Ｓｐｅｃｉｆｉｃ  Ｉｎｆｏｒｍａｔｉｏｎ）と呼ばれる番組特定情報が選局情報として使用される。ＰＳＩは、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＮＩＴ（Ｎｅｔｗｏｒｋ  Ｉｎｆｏｒｍａｔｉｏｎ  Ｔａｂｌｅ：ネットワーク情報テーブル）及びＣＡＴ（Ｃｏｎｄｉｔｉｏｎａｌ  Ａｃｃｅｓｓ  Ｔａｂｌｅ：限定受信テーブル）の４つのテーブルを含むことができる。ＰＡＴは、サービスに関連するＰＭＴを伝送するＴＳパケットのＰＩＤを指定するものであり、ＰＡＴを伝送するＴＳパケットのＰＩＤはゼロの値に設定される。ＰＡＴは、あるＴＳ内に含まれる全てのサービスについて、各サービスの識別情報であるサービスＩＤ（ｓｅｒｖｉｃｅ＿ｉｄ）と、ＰＭＴを伝送するＴＳパケットのＰＩＤとを格納している。ＰＭＴは、個々のサービスごとに存在し、各サービスを構成する符号化ストリームを伝送するＴＳパケットのＰＩＤを指定する情報である。
【手続補正２】
【補正対象書類名】明細書
【補正対象項目名】００２２
【補正方法】変更
【補正の内容】
【００２２】
デジタル放送受信装置１００は、更に、第２選局制御部（選局情報収集部）８，第２放送信号受信部９及び第２デマルチプレクス部（監視用データ分離部）１１を備える。第２放送信号受信部９は、第２チューナ部１０Ａと第２復調部１０Ｂとからなる。第２チューナ部１０Ａ，第２復調部１０Ｂ及び第２デマルチプレクス部１１は、それぞれ、上記第１チューナ部２Ａ，第１復調部２Ｂ及び第１デマルチプレクス部３と同様に機能する。このようにデジタル放送受信装置１００は、第１チューナ部２Ａ，第１復調部２Ｂ及び第１デマルチプレクス部３からなる放送受信系統と、第２チューナ部１０Ａ，第２復調部１０Ｂ及び第２デマルチプレクス部１１からなる放送受信系統という独立した２つの放送受信系統を有している。第２選局制御部８は、第２チューナ部１０Ａと第２デマルチプレクス部１１の動作を制御する機能を有し、更に、選局情報テーブル７ａに記録された選局情報を更新するための選局情報スキャン処理を実行する機能を有する。選局情報スキャン処理については後述する。
【手続補正３】
【補正対象書類名】明細書
【補正対象項目名】００３６
【補正方法】変更
【補正の内容】
【００３６】
まず、第１選局制御部６は、選局情報テーブル７ａから当該サービスの保管選局情報を取得し、この保管選局情報を用いて第１デマルチプレクス部３に対して、ＰＡＴフィルタリング設定（ステップＳ１０３）、ＰＭＴフィルタリング設定（ステップＳ１０９）及び映像・音声フィルタリング設定（ステップＳ１１５）を並行して行う。ＰＡＴフィルタリング設定は、ＰＡＴのＰＩＤに適合するＴＳパケットをトランスポートストリームから抽出するための設定であり、ＰＭＴフィルタリング設定は、ＰＡＴ情報（図２）内のＰＭＴのＰＩＤに適合するＴＳパケットをトランスポートストリームから抽出するための設定であり、映像・音声フィルタリング設定は、ＰＭＴ情報（図２）内のＰＣＲのＰＩＤ，映像ＥＳのＰＩＤ及び音声ＥＳのＰＩＤのいずれかに適合するＴＳパケットをトランスポートストリームから抽出するための設定である。ここで、ＰＡＴのＰＩＤがデフォルトのゼロの固定値を有する場合は、ＰＡＴのＰＩＤを使用せずに、ＰＡＴフィルタリング設定（ステップＳ１０３）を行うことができる。
【手続補正４】
【補正対象書類名】明細書
【補正対象項目名】００４８
【補正方法】変更
【補正の内容】
【００４８】
チューニング時間Ｔ１は、第１チューナ部２Ａにおけるチューニング処理の所要時間である。ＰＡＴ受信時間Ｔ２は、トランスポートストリームに対してフィルタリング処理が開始されてから、ＰＡＴの受信を待ち、ＰＡＴを受信し解析して必要な情報（バージョン番号やＰＭＴのＰＩＤなどのＰＡＴ情報）を取得するまでに要する時間であり、ＰＭＴ受信時間Ｔ３は、トランスポートストリームに対してフィルタリング処理が開始されてから、ＰＭＴの受信を待ち、ＰＭＴを受信し解析して必要な情報（バージョン番号やＰＣＲのＰＩＤや映像ＥＳのＰＩＤなどのＰＭＴ情報）を取得するまでに要する時間である。デコード時間Ｔ４は、ＰＭＴ情報に基づいて分離された映像や音声の符号化ストリームのデコード部４への入力が開始されてから、デコード出力が開始されるまでの時間であり、ビデオデコードに必要なシーケンスヘッダの受信待ち時間や映像同期のための待ち時間がその大半を占める。
【手続補正５】
【補正対象書類名】明細書
【補正対象項目名】００５４
【補正方法】変更
【補正の内容】
【００５４】
また、保管選局情報の変化を確認する際には、ＰＡＴのバージョン番号とＰＭＴのバージョン番号が利用される（ステップＳ１０５，Ｓ１１１）。これらバージョン番号は、ＰＡＴ情報やＰＭＴ情報が更新された場合には必ずインクリメントされるので、ＰＩＤを参照してその変化を確認する方法よりも確実に保管選局情報の変化の有無を判別することができる。したがって、誤った映像信号や音声信号の出力といった誤動作が生じる可能性を減らすことができる。
【手続補正６】
【補正対象書類名】明細書
【補正対象項目名】００５８
【補正方法】変更
【補正の内容】
【００５８】
なお、ＡＲＩＢ規格による放送の場合、番組表は、当該サービスに含まれるイベント情報テーブル（ＥＩＴ：Ｅｖｅｎｔ  Ｉｎｆｏｒｍａｔｉｏｎ  Ｔａｂｌｅ）を収集することで作成することができる。イベント情報テーブル（ＥＩＴ）は、ＭＰＥＧ−２システムで定義されている番組配列情報（ＳＩ）の一部であり、番組名，放送日時及び番組内容などの、サービスに関する情報が記述された情報である。
【手続補正７】
【補正対象書類名】明細書
【補正対象項目名】００６２
【補正方法】変更
【補正の内容】
【００６２】
まず、第２選局制御部８は、裏監視サービスリストから当該サービスの保管選局情報を取得し、この保管選局情報を用いて第２デマルチプレクス部１１に対して、ＰＡＴフィルタリング設定（ステップＳ２０３）及びＰＭＴフィルタリング設定（ステップＳ２０９）を並行して行う。ＰＡＴフィルタリング設定は、ＰＡＴのＰＩＤに適合するＴＳパケットをトランスポートストリームから抽出するための設定であり、ＰＭＴフィルタリング設定は、ＰＡＴ情報（図２）内のＰＭＴのＰＩＤに適合するＴＳパケットをトランスポートストリームから抽出するための設定である。ここで、ＰＡＴのＰＩＤがデフォルトのゼロの固定値を有する場合は、ＰＡＴのＰＩＤを使用せずに、ＰＡＴフィルタリング設定（ステップＳ２０３）を行うことができる。続けて、第２選局制御部８は、第２デマルチプレクス部１１からのＰＡＴ情報の通知（ＰＡＴ受信通知）とＰＭＴ情報の通知（ＰＭＴ受信通知）を待つ。
【手続補正８】
【補正対象書類名】明細書
【補正対象項目名】００７０
【補正方法】変更
【補正の内容】
【００７０】
図６は、上記の選局情報スキャン処理によるサービスのスキャン順序を概略的に示す図である。図６において、時間ｔは上から下へと経過するものとし、符号ＳＰ１１〜ＳＰ１４，ＳＰ２１〜ＳＰ２３，ＳＰ３１〜ＳＰ３３の各々は、各サービスの１回分の選局情報スキャン処理（ステップＳ２０２〜Ｓ２１４）に要する処理時間を表す。ＴＳｎは、ｎ回目のスキャンが開始される時刻を、ＴＲｎは、ｎ回目のスキャンにおいて記録される最終更新時刻を、ＴＰｍは各サービスにおける番組開始時刻をそれぞれ表す。ここでは、裏監視サービスリスト中のサービス数を３と仮定し、各々をサービスＳｖｓ１，Ｓｖｓ２，Ｓｖｓ３と呼ぶ。以下、図６を用いて各サービスのスキャン順序について説明する。